(57)【要約】      （修正有）【課題】スマートフォンなどの電子機器が据え付けられた状態で電子機器にユーザの手が接触して電子機器を操作した際の電子機器の振動を減少させ、据え付けられた電子機器の位置を変更しても変更した位置で電子機器が安定して据え付けられるようにする据付装置を提供する。【解決手段】電子機器据付装置は、電子機器に選択的に結合または分離され、電子機器に結合されると無線充電方式で電子機器を充電させる充電ヘッド部１００及び充電ヘッド部に選択的に結合または分離され、充電ヘッド部に結合されると充電ヘッド部を固定支持し、少なくとも１つ以上の関節部２２０を備え、充電ヘッド部の３次元位置変更に応じて形状が変更されるサポートモジュール２００と、サポートモジュールに結合されてサポートモジュールを支持し、サポートモジュールのティルト運動時にサポートモジュールを拘束する支持部３００と、基台部４００と、を含む。【選択図】図１
2020145669.tif 000002
【特許請求の範囲】
【請求項１】
電子機器に選択的に結合または分離され、前記電子機器に結合されると無線充電方式で前記電子機器を充電させる充電ヘッド部と、
前記充電ヘッド部に選択的に結合または分離され、前記充電ヘッド部に結合されると前記充電ヘッド部を固定支持し、少なくとも１つ以上の関節部を備え、前記充電ヘッド部の３次元位置変更に応じて形状が変更されるサポートモジュールと、
前記サポートモジュールに結合されて前記サポートモジュールを支持し、前記サポートモジュールのティルト運動時に前記サポートモジュールを拘束する支持部とを含み、
前記支持部は、１つのスプリングコイルの一部位の外側に他のスプリングコイルが結合されて形成される二重コアコイルを備えることを特徴とする、電子機器据付装置。
【請求項２】
前記充電ヘッド部は、
一部位が前記電子機器に選択的に結合または分離され、外部から受けた電力を無線で前記電子機器に供給する充電パッド、及び
前記充電パッドの他の部位に結合され、球状を有し、前記サポートモジュールに選択的に結合または分離されるパッド結合体を備えることを特徴とする、請求項１に記載の電子機器据付装置。
【請求項３】
前記充電ヘッド部は、前記充電パッドに結合され、前記電子機器を真空吸着するサクションパッドをさらに備えることを特徴とする、請求項２に記載の電子機器据付装置。
【請求項４】
前記サポートモジュールは、
管形状を有し、一端が前記充電ヘッド部に連結され、他端が前記関節部に結合される第１のサポート、及び
管形状を有し、一端が前記関節部に結合され、他端が前記支持部に結合される第２のサポートをさらに備えることを特徴とする、請求項１に記載の電子機器据付装置。
【請求項５】
前記関節部は、
前記第１のサポートに結合され、内部空間を有する関節ハウジング、及び
前記第２のサポートに結合され、球状を有し、前記関節ハウジングの内部空間に引き込まれる関節結合体を備えることを特徴とする、請求項４に記載の電子機器据付装置。
【請求項６】
前記サポートモジュールは、前記第１のサポート、前記第２のサポート及び前記関節部を貫通して形成される第１のケーブル、並びに前記第１のケーブルに連結され、前記充電ヘッド部に選択的に結合または分離される第２のケーブルを有し、電力を伝達するケーブル部をさらに備えることを特徴とする、請求項４に記載の電子機器据付装置。
【請求項７】
前記支持部は、
前記二重コアコイルが引き込まれる支持ハウジング、
前記サポートモジュールに結合され、球状を有し、前記支持ハウジングの内部空間に引き込まれる支持結合体、及び
前記支持結合体の一部位を覆う形状を有し、前記支持ハウジングの内部空間に形成され、弾性を持つ支持弾性体をさらに備えることを特徴とする、請求項１に記載の電子機器据付装置。
【請求項８】
前記二重コアコイルを形成する１つのスプリングコイルの他の部位が前記支持結合体の内部に引き込まれることを特徴とする、請求項６に記載の電子機器据付装置。
【請求項９】
前記支持部に結合され、所定の物体に設置されて前記支持部を固定支持する基台部をさらに含むことを特徴とする、請求項１に記載の電子機器据付装置。
【請求項１０】
前記基台部は、
前記支持部に結合され、内部空間を有する第１の基台本体、
前記第１の基台本体の内部空間に引き込まれて前記第１の基台本体に結合され、外部に露出する長さが変化し、複数のスリットを有する第２の基台本体、及び
前記第１の基台本体に結合され、前記複数のスリットのいずれかのスリットに選択的に結合され、前記第２の基台本体を固定するトグルクランプを備えることを特徴とする、請求項１に記載の電子機器据付装置。
【請求項１１】
平面を有する充電ヘッド部と、
前記充電ヘッド部の平面に結合され、据え付けの対象となる物体である対象物体の一面に加圧接触する複数のサクションレイヤを備え、前記対象物体を真空吸着して支持するサクションパッドとを含み、
前記サクションパッドにおいて、前記複数のサクションレイヤのうちいずれかのサクションレイヤを囲む位置に他のサクションレイヤが形成され、前記複数のサクションレイヤは各サクションレイヤの間隔が一定の同心円の形状に形成されることを特徴とする、電子機器据付用吸着装置。
【請求項１２】
前記複数のサクションレイヤのうちいずれかのサクションレイヤの外形は、内側面と外側面が異なる方向に傾斜し、最も長い外側円周の長さよりも高さのほうが小さい円筒の形状であることを特徴とする、請求項１１に記載の電子機器据付用吸着装置。
【請求項１３】
前記サクションパッドは、弾性を持つ素材で形成されることを特徴とする、請求項１１に記載の電子機器据付用吸着装置。
【請求項１４】
前記充電ヘッド部は、前記サクションパッドに前記対象物体が吸着結合により支持されると、無線で前記対象物体に電力を供給することを特徴とする、請求項１１に記載の電子機器据付用吸着装置。
【発明の詳細な説明】
【技術分野】
【０００１】
本発明は、電子機器据付装置及び吸着装置に関し、さらに詳しくは、スマートフォンなどの電子機器が据え付けられた状態で電子機器にユーザの手が接触して電子機器を操作した際の電子機器の振動を減少させ、据え付けられた電子機器の位置を変更しても変更した位置で電子機器が安定して据え付けられるようにする据付装置及びそれに用いられる吸着装置に関する。
【背景技術】
【０００２】
スマートフォンの普及によりスマートフォンを用いる人口が増加し、それに比例してスマートフォンユーザがスマートフォンを用いる時間も増加している。スマートフォンユーザは様々な姿勢でスマートフォンを用いるが、直接ユーザの手でスマートフォンを把持して用いるのではなく、スマートフォンを別途の装置に固定してユーザが楽な姿勢でスマートフォンを用いたいという要求が増加を続けている。
【０００３】
スマートフォンを据え付ける様々な装置が開発されて販売されているが、従来技術によるスマートフォン据付機器は、ユーザがスマートフォンに接触するとスマートフォンに振動が発生したり、スマートフォンの位置を自由に変更するのに限界があるという問題がある。
【０００４】
特許文献１（発明の名称：スマートフォン据付台）においては、バッテリ収納空間、前記バッテリ収納空間内に設けられる充電用ＰＣＢ、前記充電用ＰＣＢに電気的に接続されるメスコネクタ、及び前記メスコネクタを収容する充電孔を備える基台と、前記基台の一側から延びて多方向に自由に曲がるように構成される支持棒、及び前記支持棒の上端部に設けられて携帯電話を把持する把持部を備えるスマートフォン据付部と、前記バッテリ収納空間に収納されて前記充電用ＰＣＢに接続されるバッテリとを含むスマートフォン据付台が開示されている。
【先行技術文献】
【特許文献】
【０００５】
【特許文献１】韓国登録特許第１０−１６２１１８７号公報
【発明の概要】
【発明が解決しようとする課題】
【０００６】
前記問題を解決するために、本発明は、スマートフォンなどの電子機器が据え付けられた状態で電子機器にユーザの手が接触して電子機器を操作した際の電子機器の振動を減少させることを目的とする。
【０００７】
また、本発明は、装置に据え付けられた電子機器の位置を変更しても変更した位置で電子機器が安定して据え付けられるようにすることを目的とする。
【０００８】
本発明が解決しようとする技術的課題は、前述の技術的課題に限定されるものではなく、言及していない他の技術的課題は、以下の記載から本発明の属する技術分野における通常の知識を有する者に明確に理解されるであろう。
【課題を解決するための手段】
【０００９】
前記目的を達成するために、本発明は、電子機器に選択的に結合または分離され、前記電子機器に結合されると無線充電方式で前記電子機器を充電させる充電ヘッド部と、前記充電ヘッド部に選択的に結合または分離され、前記充電ヘッド部に結合されると前記充電ヘッド部を固定支持し、少なくとも１つ以上の関節部を備え、前記充電ヘッド部の３次元位置変更に応じて形状が変更されるサポートモジュールと、前記サポートモジュールに結合されて前記サポートモジュールを支持し、前記サポートモジュールのティルト運動時に前記サポートモジュールを拘束する支持部とを含み、前記支持部は、１つのスプリングコイルの一部位の外側に他のスプリングコイルが結合されて形成される二重コアコイルを備えることを特徴とする。
【００１０】
本発明の実施形態において、前記充電ヘッド部は、一部位が前記電子機器に選択的に結合または分離され、外部から受けた電力を無線で前記電子機器に供給する充電パッド、及び前記充電パッドの他の部位に結合され、球状を有し、前記サポートモジュールに選択的に結合または分離されるパッド結合体を備えてもよい。
【００１１】
本発明の実施形態において、前記充電ヘッド部は、前記充電パッドに結合され、前記電子機器を真空吸着するサクションパッドをさらに備えてもよい。
【００１２】
本発明の実施形態において、前記サポートモジュールは、管形状を有し、一端が前記充電ヘッド部に連結され、他端が前記関節部に結合される第１のサポート、及び管形状を有し、一端が前記関節部に結合され、他端が前記支持部に結合される第２のサポートをさらに備えてもよい。
【００１３】
本発明の実施形態において、前記関節部は、前記第１のサポートに結合され、内部空間を有する関節ハウジング、及び前記第２のサポートに結合され、球状を有し、前記関節ハウジングの内部空間に引き込まれる関節結合体を備えてもよい。
【００１４】
本発明の実施形態において、前記サポートモジュールは、前記第１のサポート、前記第２のサポート及び前記関節部を貫通して形成される第１のケーブル、並びに前記第１のケーブルに連結され、前記充電ヘッド部に選択的に結合または分離される第２のケーブルを有し、電力を伝達するケーブル部をさらに備えてもよい。
【００１５】
本発明の実施形態において、前記支持部は、前記二重コアコイルが引き込まれる支持ハウジング、前記サポートモジュールに結合され、球状を有し、前記支持ハウジングの内部空間に引き込まれる支持結合体、及び前記支持結合体の一部位を覆う形状を有し、前記支持ハウジングの内部空間に形成され、弾性を持つ支持弾性体をさらに備えてもよい。
【００１６】
本発明の実施形態において、前記二重コアコイルを形成する１つのスプリングコイルの他の部位が前記支持結合体の内部に引き込まれてもよい。
【００１７】
本発明の実施形態において、前記支持部に結合され、所定の物体に設置されて前記支持部を固定支持する基台部をさらに含んでもよい。
【００１８】
本発明の実施形態において、前記基台部は、前記支持部に結合され、内部空間を有する第１の基台本体、前記第１の基台本体の内部空間に引き込まれて前記第１の基台本体に結合され、外部に露出する長さが変化し、複数のスリットを有する第２の基台本体、及び前記第１の基台本体に結合され、前記複数のスリットのいずれかのスリットに選択的に結合され、前記第２の基台本体を固定するトグルクランプを備えてもよい。
【００１９】
本発明の実施形態において、平面を有する充電ヘッド部と、前記充電ヘッド部の平面に結合され、据え付けの対象となる物体である対象物体の一面に加圧接触する複数のサクションレイヤを備え、前記対象物体を真空吸着して支持するサクションパッドとを含み、前記サクションパッドにおいて、前記複数のサクションレイヤのうちいずれかのサクションレイヤを囲む位置に他のサクションレイヤが形成され、前記複数のサクションレイヤは各サクションレイヤの間隔が一定の同心円の形状に形成されることを特徴とする。
【００２０】
本発明の実施形態において、前記複数のサクションレイヤのうちいずれかのサクションレイヤの外形は、内側面と外側面が異なる方向に傾斜し、最も長い外側円周の長さよりも高さのほうが小さい円筒の形状であってもよい。
【００２１】
本発明の実施形態において、前記サクションパッドは、弾性を持つ素材で形成されてもよい。
【００２２】
本発明の実施形態において、前記充電ヘッド部は、前記サクションパッドに前記対象物体が吸着結合により支持されると、無線で前記対象物体に電力を供給するようにしてもよい。
【発明の効果】
【００２３】
前記構成によれば、本発明は、支持部に二重コアコイルと支持弾性体が形成されるので、スマートフォンなどの電子機器をユーザが操作することにより振動が発生してもサポートモジュールなどの振動が吸収され、電子機器使用時の振動を最小限に抑えられるという効果を有する。
【００２４】
また、充電ヘッド部及びサポートモジュールのティルト運動時に付勢力、摩擦力及び磁力を用いて各ティルト運動に対する抵抗力を提供することにより、充電ヘッド部及びサポートモジュールの各ティルト運動が容易になると同時に電子機器の据え付けも容易になるという効果を有する。
【００２５】
さらに、充電ヘッド部に複数のサクションレイヤから形成されるサクションパッドが結合され、このようなサクションパッドを用いて電子機器を固定することにより、様々な重量の電子機器を容易に吸着固定できるという効果を有する。
【００２６】
本発明の効果は、前記効果に限定されるものではなく、本発明の詳細な説明または特許請求の範囲に記載されている発明の構成から推論可能なあらゆる効果が含まれるものと理解すべきである。
【図面の簡単な説明】
【００２７】
【図１】本発明の一実施形態による電子機器据付装置の斜視図である。
【図２】本発明の一実施形態による電子機器据付装置の側面図である。
【図３】本発明の一実施形態による電子機器据付装置の断面図である。
【図４】本発明の一実施形態による充電ヘッド部の模式図である。
【図５】本発明の他の実施形態による充電ヘッド部の模式図である。
【図６】本発明の他の実施形態による充電ヘッド部の断面図である。
【図７】本発明の一実施形態による関節部の断面図である。
【図８】本発明の一実施形態による支持部の内部構造の模式図である。
【図９】本発明の一実施形態による支持部の断面図である。
【図１０】本発明の一実施形態による基台部の斜視図である。
【発明を実施するための形態】
【００２８】
以下、添付図面を参照して本発明について説明する。しかしながら、本発明は、様々な異なる形態で実現され得るので、以下に説明する実施形態に限定されるものではない。また、図面において、本発明を明確に説明するために説明に関係のない部分は省略し、明細書全体を通して類似の部分には類似の符号を付した。
【００２９】
明細書全体を通して、ある部分が他の部分と「連結（接続、接触、結合）」されているという場合、それには「直接的に連結」されているものだけでなく、その間にさらに他の部材を介して「間接的に連結」されているものも含まれる。また、ある一部分がある構成要素を「含む」という場合、それは特に断らない限り他の構成要素を除外するものではなく、他の構成要素をさらに備えてもよいことを意味する。
【００３０】
本発明に用いられる用語は、単に特定の実施形態について説明するために用いられるものであり、本発明を限定しようとする意図はない。単数の表現には、文脈からみて明らかに他の意味を有さない限り、複数の言い回しを含む。本明細書における「含む」、「有する」などの用語は、明細書に記載されている特徴、数字、ステップ、動作、構成要素、部品またはそれらの組み合わせが存在することを示すためのものであり、１つまたはそれ以上の他の特徴、数字、ステップ、動作、構成要素、部品またはそれらの組み合わせの存在または付加可能性を予め排除するものではないことを理解すべきである。
【００３１】
以下、添付図面面を参照し、本発明について詳細に説明する。
【００３２】
図１は、本発明の一実施形態による電子機器据付装置の斜視図であり、図２は、本発明の一実施形態による電子機器据付装置の側面図であり、図３は、本発明の一実施形態による電子機器据付装置の断面図である。
【００３３】
図１ないし図３に示すように、電子機器に選択的に結合または分離され、電子機器に結合されると無線充電方式で電子機器を充電させる充電ヘッド部１００と、充電ヘッド部１００に選択的に結合または分離され、充電ヘッド部１００に結合されると充電ヘッド部１００を固定支持し、少なくとも１つ以上の関節部２２０を備え、充電ヘッド部１００の３次元位置変更に応じて形状が変更されるサポートモジュール２００と、サポートモジュール２００に結合されてサポートモジュール２００を支持し、サポートモジュール２００のティルト運動時にサポートモジュール２００を拘束する支持部３００とを含む。ここで、ティルト運動とは、所定の角度で傾く運動を意味する。電子機器は、スマートフォン、タブレットＰＣ、電子ブックリーダーなどの携帯用電子機器である。
【００３４】
図４は、本発明の一実施形態による充電ヘッド部１００の模式図であり、図５は、本発明の他の実施形態による充電ヘッド部１００の模式図であり、図６は、本発明の他の実施形態による充電ヘッド部１００の断面図である。ここで、図４においては充電パッド１１０にサクションパッド１３０が結合されておらず、図５及び図６においては充電パッド１１０にサクションパッド１３０が結合されている。
【００３５】
図４ないし図６に示すように、充電ヘッド部１００は、一部位が電子機器に選択的に結合または分離され、外部から受けた電力を無線で電子機器に供給する充電パッド１１０、及び充電パッド１１０の他の部位に結合され、球状を有し、サポートモジュール２００に選択的に結合または分離されるパッド結合体１２０を備える。ここで、充電パッド１１０は、充電パッド１１０の一部位から突設されてパッド結合体１２０に結合されるパッド突出体１１２を備える。
【００３６】
図６に示すように、サポートモジュール２００に備えられる第１のサポート２１１の一端には、磁力により充電ヘッド部１００に選択的に結合または分離される充電ヘッド結合体２４０が形成される。
【００３７】
充電ヘッド結合体２４０は、磁石からなり、パッド結合体１２０に接触する面が曲面に形成され、磁力を用いてパッド結合体１２０の着脱が可能なヘッド磁性体２４１、及びヘッド磁性体２４１が引き込まれるようにヘッド磁性体２４１に対応する形状の内部空間を有し、第１のサポート２１１に結合されるヘッド磁性体ハウジング２４２を備える。ヘッド磁性体ハウジング２４２は、第１のサポート２１１に固定結合される。具体的には、ヘッド磁性体ハウジング２４２と第１のサポート２１１は、螺合により結合される。
【００３８】
ヘッド磁性体２４１においては、パッド結合体１２０に接触する面が曲面に形成されるので、パッド結合体１２０とヘッド磁性体２４１が磁力により結合されると、球形のパッド結合体１２０は回転運動が可能になり、それによって電子機器と接触または近接して電力を伝達する充電パッド１１０の充電面１１１の向きを変更することができる。
【００３９】
また、充電ヘッド結合体２４０と充電ヘッド部１００は分離可能であるので、ユーザは充電ヘッドを分離することができ、ヘッド磁性体２４１と同じ形状の他のヘッド磁性体２４１を備える他の装置に分離された充電ヘッド部１００を移動させて結合させることができる。
【００４０】
電子機器に磁石が付着され、充電パッド１１０と電子機器が磁力により結合されるようにしてもよく、また、充電ヘッド部１００に電子機器を締め付けて固定する挟み状の構成が結合され、電子機器を締め付けて固定することにより充電パッド１１０と電子機器が結合されるようにしてもよいが、次のように、サクションパッド１３０により電子機器が充電パッド１１０に隣接して据え付けられるようにしてもよい。
【００４１】
図５及び図６に示すように、充電ヘッド部１００は、充電パッド１１０に結合され、電子機器を真空吸着するサクションパッド１３０をさらに備える。ここで、サクションパッド１３０は、少なくとも１つ以上のサクションレイヤを備える。サクションパッド１３０は、弾性を持つ素材で形成される。具体的には、サクションパッド１３０は、ゴムまたは合成樹脂で形成される。しかしながら、これに限定されるものではない。
【００４２】
複数のサクションレイヤのうちいずれかのサクションレイヤの外形は、内側面と外側面が異なる方向に傾斜し、最も長い外側円周の長さよりも高さのほうが小さい円筒の形状である。また、１つのサクションレイヤの側壁において、内側面と外側面との間には三角形の内部空間が形成される。すなわち、サクションレイヤは、サクションパッド１３０の中心を貫通して充電面１１１に対して垂直となるサクションパッド１３０の中心軸を中心に、底辺のない三角形が所定距離離隔されて環状に配置される形状である。
【００４３】
また、１つのサクションレイヤを囲む位置に他のサクションレイヤが形成されるので、電子機器に接触する方向にサクションパッド１３０を見ると、複数のサクションレイヤは、各サクションレイヤの間隔が一定の同心円の形状に形成される。
【００４４】
各サクションレイヤの各接触部位は、充電面１１１から異なる距離に位置する。ここで、サクションレイヤの接触部位とは、サクションパッド１３０により固定支持される電子機器の一面に接触するサクションレイヤの一部位を意味する。
【００４５】
具体的には、サクションパッド１３０において最も中心に位置するサクションレイヤの接触部位が充電面１１１から相対的に最も離隔した位置に形成され、サクションパッド１３０において最も周縁に位置するサクションレイヤの接触部位が充電面１１１から相対的に最も近接した位置に形成される。
【００４６】
図５及び図６に示すように、サクションパッド１３０の一態様において、サクションパッド１３０は、第１のサクションレイヤ１３１ないし第５のサクションレイヤ１３５を備え、最も中心に位置する第１のサクションレイヤ１３１を囲む形状に第２のサクションレイヤ１３２が形成され、このようなサクションレイヤの形成が繰り返され、最終的に第４のサクションレイヤ１３４を囲む形状に第５のサクションレイヤ１３５が形成される。
【００４７】
また、第１のサクションレイヤ１３１ないし第５のサクションレイヤ１３５のそれぞれの形状は前述したように形成され、第１のサクションレイヤ１３１の接触部位が充電面１１１から最も離隔した位置に形成され、第２のサクションレイヤ１３２から第５のサクションレイヤ１３５へ行くほど各サクションレイヤの接触部位が次第に充電面１１１に近接する位置になるように各サクションレイヤが形成される。よって、電子機器の一面がサクションパッド１３０に接触する際に、第１のサクションレイヤ１３１が最初に電子機器の一面に接触し、第５のサクションレイヤ１３５が最後に電子機器の一面に接触する。
【００４８】
本発明の実施形態においては、第１のサクションレイヤ１３１ないし第５のサクションレイヤ１３５の位置が前述したように形成されるものについて説明しているが、必ずしもこれに限定されるものではなく、各サクションレイヤの接触部位の位置が異なるように形成されてもよい。具体的には、各サクションレイヤの接触部位の位置が同様に形成されてもよく、前述したように順次形成されるのではなく、異なる位置に形成されてもよい。
【００４９】
このようなサクションパッド１３０の構成により、電子機器の一面がサクションパッド１３０に接触して加圧されると、複数のサクションレイヤにより多段階に真空吸着が行われ、様々な重量の電子機器を容易に支持して据え付けることができる。
【００５０】
サポートモジュール２００は、管形状を有し、一端が充電ヘッド部１００に連結され、他端が関節部２２０に結合される第１のサポート２１１、及び管形状を有し、一端が関節部２２０に結合され、他端が支持部３００に結合される第２のサポート２１２をさらに備える。また、第１のサポート２１１と第２のサポート２１２は、断面が円形または多角形の管で形成される。関節部２２０が複数の場合、第１のサポート２１１や第２のサポート２１２のようにサポートの数が増加する。しかしながら、説明の便宜上、本発明の実施形態においては１つの関節部２２０を備える場合について説明する。
【００５１】
図７は、本発明の一実施形態による関節部２２０の断面図である。図７に示すように、関節部２２０は、第１のサポート２１１に結合され、内部空間を有する関節ハウジング２２１、及び第２のサポート２１２に結合され、球状を有し、関節ハウジング２２１の内部空間に引き込まれる関節結合体２２２を備える。
【００５２】
ここで、関節ハウジング２２１は、第１のサポート２１１の他端に結合され、関節結合体２２２は、第２のサポート２１２の一端に結合される。また、関節ハウジング２２１の内部空間には、磁石からなり、関節結合体２２２に接触する面が曲面に形成され、磁力を用いて関節結合体２２２を固定する関節磁性体２２３が形成される。関節ハウジング２２１は、第１のサポート２１１に固定結合される。具体的には、関節ハウジング２２１と第１のサポート２１１は、螺合により結合される。
【００５３】
関節磁性体２２３においては、関節結合体２２２に接触する面が曲面に形成されるので、関節結合体２２２と関節磁性体２２３が磁力により結合されると、球形の関節結合体２２２は回転運動が可能になり、それによって、ユーザの操作による第１のサポート２１１と第２のサポート２１２の相対的なティルト運動により、第１のサポート２１１と第２のサポート２１２の相対的な３次元位置を変更することができ、このような関節磁性体２２３と関節結合体２２２の磁力により、位置が変更された第１のサポート２１１と第２のサポート２１２が固定される。
【００５４】
あるいは、関節ハウジング２２１の内部空間には、弾性を持つゴムまたは合成樹脂からなり、関節結合体２２２に接触する面が曲面に形成され、摩擦力を用いて関節結合体２２２を固定する関節固定体２２４が形成されてもよい。
【００５５】
このように、関節磁性体２２３ではなく、関節固定体２２４が形成されると、球形の関節結合体２２２は回転運動が可能になり、ユーザの操作による第１のサポート２１１と第２のサポート２１２の相対的なティルト運動により、第１のサポート２１１と第２のサポート２１２の３次元位置を変更することができ、このような関節固定体２２４と関節結合体２２２の摩擦力により、位置が変更された第１のサポート２１１と第２のサポート２１２が固定される。また、関節固定体２２４が弾性を持つと同時に磁性を持つようにしてもよく、そうすると、関節固定体２２４は、磁力を用いて関節磁性体２２３が実現する機能を果たすことができる。
【００５６】
図６に示すように、サポートモジュール２００は、第１のサポート２１１、第２のサポート２１２及び関節部２２０を貫通して形成される第１のケーブル２３１、並びに第１のケーブル２３１に連結され、充電ヘッド部１００に選択的に結合または分離される第２のケーブル２３２を有し、電力を伝達するケーブル部をさらに備える。
【００５７】
第２のケーブル２３２は、コイル状の電気ケーブルから形成されるコイル状体２３２ａ、及び充電ヘッド部１００に電力を供給するために充電ヘッド部１００に結合される電力供給体２３２ｂを備える。また、充電パッド１１０は、電源接続口１１３を備え、電力供給体２３２ｂが電源接続口１１３に引き込まれることにより、外部からケーブル部を経て充電ヘッド部１００に電力が伝達される。
【００５８】
ここで、コイル状体２３２ａにより第２のケーブル２３２の長さを変化させることができるので、電力供給体２３２ｂを充電ヘッド部１００に結合する際の第２のケーブル２３２の長さ調節が容易になると同時に、充電ヘッド部１００のティルト運動時にも電力供給体２３２ｂと電源接続口１１３の分離を防止することができる。
【００５９】
図８は、本発明の一実施形態による支持部３００の内部構造の模式図であり、図９は、本発明の一実施形態による支持部３００の断面図である。支持部３００は、１つのスプリングコイルの一部位の外側に他のスプリングコイルが結合されて形成される二重コアコイル３１０を備える。また、支持部３００は、二重コアコイル３１０が引き込まれる支持ハウジング３２０、サポートモジュール２００に結合され、球状を有し、支持ハウジング３２０の内部空間に引き込まれる支持結合体３３０、及び支持結合体３３０の一部位を覆う形状を有し、支持ハウジング３２０の内部空間に形成され、弾性を持つ支持弾性体３４０をさらに備える。さらに、二重コアコイル３１０を形成する１つのスプリングコイルの他の部位が支持結合体３３０の内部に引き込まれる。支持弾性体３４０は、ゴムまたは合成樹脂で形成される。
【００６０】
具体的には、図８及び図９に示すように、二重コアコイル３１０は、コイル状を有し、相対的に長い第１のコアコイル３１１、及び第１のコアコイル３１１の下部を含む一部位を覆うコイル状を有し、相対的に短い第２のコアコイル３１２を備える。また、外部に露出した第１のコアコイル３１１の上部と第２のコアコイル３１２の上端が支持結合体３３０の内部空間に引き込まれ、第２のコアコイル３１２の上端が支持結合体３３０の内側面に接触する。さらに、第２のサポート２１２の他端が支持結合体３３０の内部空間に引き込まれて形成される。さらに、図９に示すように、支持結合体３３０の長手方向の縦中心軸と支持結合体３３０の内部空間を貫通する支持結合体３３０の縦中心軸が平行である場合、第１のコアコイル３１１は支持結合体３３０の内側面から離隔する。
【００６１】
さらに、第２のサポート２１２のティルト運動のために支持結合体３３０が回転運動を行う場合、第１のコアコイル３１１と支持結合体３３０が接触し始める回転角度である接触回転角度より支持結合体３３０の回転角度のほうが小さいと、支持弾性体３４０の摩擦力及び付勢力と第２のコアコイル３１２の付勢力が支持結合体３３０に提供されるので、充電ヘッド部１００とサポートモジュール２００の重量が支持される。ここで、支持結合体３３０の回転により第２のコアコイル３１２が曲がることにより、第２のコアコイル３１２の弾性が増加するので、第２のサポート２１２に対する支持力が増加する。
【００６２】
また、第２のサポート２１２のティルト角度の増加により支持結合体３３０の回転角度が増加し、接触回転角度と支持結合体３３０の回転角度が同一になるか、または接触回転角度よりも支持結合体３３０の回転角度のほうが大きくなると、支持弾性体３４０の摩擦力及び付勢力と第２のコアコイル３１２の付勢力と第１のコアコイル３１１の付勢力が支持結合体３３０に提供されるので、充電ヘッド部１００とサポートモジュール２００の重量が支持される。ここで、支持結合体３３０の回転により第１のコアコイル３１１と第２のコアコイル３１２が曲がることにより、第１のコアコイル３１１と第２のコアコイル３１２の弾性が増加するので、第２のサポート２１２に対する支持力が増加する。
【００６３】
よって、第１のサポート２１１または第２のサポート２１２のティルト角度の増加により支持部３００に伝達される荷重が増加しても、第１のコアコイル３１１と第２のコアコイル３１２のそれぞれの付勢力が支持結合体３３０に順次提供され、第１のコアコイル３１１と第２のコアコイル３１２の付勢力が変化するので、支持部３００は充電ヘッド部１００及びサポートモジュール２００を容易に支持することができる。
【００６４】
本発明の電子機器据付装置において最も大きな荷重が支持部３００に伝達されるので、支持部３００において支持弾性体３４０と支持結合体３３０の接触力を増加させると、支持弾性体３４０と支持結合体３３０の摩擦力によりサポートモジュール２００を作動させる力が過度に増加し、逆に支持弾性体３４０と支持結合体３３０の接触力を減少させると、充電ヘッド部１００とサポートモジュール２００の重量により支持部３００によるサポートモジュール２００の固定が困難になる。このような支持部３００の機能低下を防止するために、前述したように、支持結合体３３０の回転角度に応じて付勢力が変化する二重コアコイル３１０を支持結合体３３０に引き込んで結合されることにより、ユーザが第２のサポート２１２を動作させる際は柔らかいが、時間が経過しても電子機器の位置がサポートモジュール２００により支持されるようにすることができる。
【００６５】
また、支持弾性体３４０が支持結合体３３０の一部位の面積で接触する形状に形成されることにより、支持弾性体３４０が支持結合体３３０の回転時に摩擦力を提供すると共に、充電ヘッド部１００に結合された電子機器にユーザが接触することにより発生する振動を支持弾性体３４０が吸収することができる。それと同時に、支持結合体３３０に接触した第２のコアコイル３１２または第１のコアコイル３１１（第１のコアコイル３１１は、第２のサポート２１２のティルト角度によって選択的に支持結合体３３０の内側面に接触する）によっても、このような振動を吸収することができる。
【００６６】
図１０は、本発明の一実施形態による基台部４００の斜視図である。本発明の電子機器据付装置は、支持部３００に結合され、所定の物体に設置されて支持部３００を固定支持する基台部４００をさらに含む。図１ないし図３に示すように、基台部４００は、平面に単に支持部３００を配置するために円板状に形成されてもよいが、図１０の基台部４００のように、机の天板などの板状の物体に固定するための形状に形成されてもよい。
【００６７】
図１０に示すように、基台部４００は、支持部３００に結合され、内部空間を有する第１の基台本体４１０、第１の基台本体４１０の内部空間に引き込まれて第１の基台本体４１０に結合され、外部に露出する長さが変化し、複数のスリット４２２を有する第２の基台本体４２０、及び第１の基台本体４１０に結合され、複数のスリット４２２のいずれかのスリット４２２に選択的に結合され、第２の基台本体４２０を固定するトグルクランプ４３０を備える。ここで、第１の基台本体４１０は、断面が四角形の管形状を有し、第２の基台本体４２０は、第１の基台本体４１０の内部空間に対応する形状に形成されるが、これに限定されるものではない。また、第１の基台本体４１０の上部面には、支持部３００に結合される支持部固定体４１２が形成される。
【００６８】
第１の基台本体４１０と第２の基台本体４２０は、それぞれ板状の物体の側面に接触して基台部４００を固定する第１の固定体４１１及び第２の固定体４２１を備え、第２の基台本体４２０が第１の基台本体４１０に引き込まれる長さを調節することにより、基台部４００の全長を調節し、第１の固定体４１１と第２の固定体４２１が同時に板状の物体の側面に接触するようにすることができ、トグルクランプ４３０に備えられる末端が曲がった形状の鉤体４３１がいずれかのスリット４２２に引き込まれることにより第１の基台本体４１０に結合されたトグルクランプ４３０が第２の基台本体４２０に引張力を提供するので、第１の固定体４１１と第２の固定体４２１が板状の物体の側面を加圧接触すると共に、基台部４００が板状の物体に固定される。トグルクランプ４３０の原理に関する事項は公知技術であるので省略する。
【００６９】
前記構成によれば、本発明は、支持部３００に二重コアコイル３１０と支持弾性体３４０が形成されるので、スマートフォンなどの電子機器をユーザが操作することにより振動が発生してもサポートモジュール２００などの振動が吸収され、電子機器使用時の振動を最小限に抑えられるという効果を有する。また、充電ヘッド部１００及びサポートモジュール２００のティルト運動時に付勢力、摩擦力及び磁力を用いて各ティルト運動に対する抵抗力を提供することにより、充電ヘッド部１００及びサポートモジュール２００の各ティルト運動が容易になると同時に電子機器の据え付けも容易になるという効果を有する。さらに、充電ヘッド部１００に複数のサクションレイヤから形成されるサクションパッド１３０が結合され、このようなサクションパッド１３０を用いて電子機器を固定することにより、様々な重量の電子機器を容易に吸着固定できるという効果を有する。
【００７０】
前述した本発明の説明は例示のためのものであり、本発明の属する技術分野における通常の知識を有する者であれば、本発明の技術的思想や必須の特徴を変更することなく、他の具体的な形態に容易に変形できることを理解するであろう。よって、前述の実施形態はあくまで例示的なものであり、限定的なものではないことを理解すべきである。例えば、単一型で説明されている各構成要素を分散して実施してもよく、同様に分散したものと説明されている構成要素を結合された形態に実施してもよい。
【００７１】
本発明の範囲は、添付の特許請求の範囲により示され、特許請求の範囲の意味及び範囲、並びにその均等概念から導かれるあらゆる変更または変形された形態も本発明に含まれるものと解釈すべきである。
【符号の説明】
【００７２】
１００  充電ヘッド部
１１０  充電パッド
１１１  充電面
１１２  パッド突出体
１１３  電源接続口
１２０  パッド結合体
１３０  サクションパッド
１３１  第１のサクションレイヤ
１３２  第２のサクションレイヤ
１３３  第３のサクションレイヤ
１３４  第４のサクションレイヤ
１３５  第５のサクションレイヤ
２００  サポートモジュール
２１１  第１のサポート
２１２  第２のサポート
２２０  関節部
２２１  関節ハウジング
２２２  関節結合体
２２３  関節磁性体
２２４  関節固定体
２３１  第１のケーブル
２３２  第２のケーブル
２３２ａ  コイル状体
２３２ｂ  電力供給体
２４０  充電ヘッド結合体
２４１  ヘッド磁性体
２４２  ヘッド磁性体ハウジング
３００  支持部
３１０  二重コアコイル
３１１  第１のコアコイル
３１２  第２のコアコイル
３２０  支持ハウジング
３３０  支持結合体
３４０  支持弾性体
４００  基台部
４１０  第１の基台本体
４１１  第１の固定体
４１２  支持部固定体
４２０  第２の基台本体
４２１  第２の固定体
４２２  スリット
４３０  トグルクランプ
４３１  鉤体
【図１】
2020145669.tif 000003
【図２】
2020145669.tif 000004
【図３】
2020145669.tif 000005
【図４】
2020145669.tif 000006
【図５】
2020145669.tif 000007
【図６】
2020145669.tif 000008
【図７】
2020145669.tif 000009
【図８】
2020145669.tif 000010
【図９】
2020145669.tif 000011
【図１０】
2020145669.tif 000012